(57)【特許請求の範囲】
【請求項１】
商品を陳列可能な商品陳列ユニットの仕切りをするための仕切り構造であって、
前記商品陳列ユニットの背面に連続的に設けられ、当接したものが背面に平行方向に移動することを防止可能な仕切板位置決め部と、
前記商品陳列ユニットの底面または前面に設けられた凹部または凸部を含む前側位置決め部と、
前記商品陳列ユニットの前後方向に延びるように取り付けられる平板状の仕切板本体と、
前記仕切板本体の後端に設けられ、前記仕切板位置決め部に当接することで位置決めされる当接部と、
前記仕切板本体の前側下部または前端に設けられ、前記前側位置決め部と係合することで前記仕切板本体の前側の位置を規制する係合部と、を備え、
前記仕切板位置決め部は、前記商品陳列ユニットの背面に連続的に設けられた凹凸構造であって、
前記当接部は、前記凹凸構造に係合することで、左右方向の移動が禁止される第二凹凸構造であることを特徴とする、
商品陳列ユニットの仕切り構造。
【請求項２】
前記仕切板本体の後端には、該仕切板本体に垂直な面である位置決め面が設けられ、
前記当接部は、前記位置決め面の奥側の面に構成されたことを特徴とする、
請求項１に記載の商品陳列ユニットの仕切り構造。
【請求項３】
前記凹凸構造は、前記商品陳列ユニットの背面の少なくとも下側の領域に設けられており、
前記商品陳列ユニットの背面における凹凸構造の上側の領域は、前記凹凸構造より前側に突出するように設けられていることを特徴とする、
請求項１または２に記載の商品陳列ユニットの仕切り構造。
【請求項４】
前記前側位置決め部は、前記商品陳列ユニットの底面または前面に設けられた差込口であり、
前記係合部は、前記仕切板本体に設けられた凸部であることを特徴とする、
請求項１から３のいずれか一項に記載の商品陳列ユニットの仕切り構造。
【請求項５】
商品陳列ユニットの背面に連続的に設けられた凹凸構造であって、当接したものが背面に平行方向に移動することを防止可能な仕切板位置決め部と、前記商品陳列ユニットの底面または前面に設けられた凹部または凸部を含む前側位置決め部と、を有する商品陳列ユニットに用いられる仕切板であって、
前記商品陳列ユニットの前後方向に延びるように取り付けられる平板状の仕切板本体と、
前記仕切板本体の後端に設けられ、前記仕切板位置決め部に当接することで位置決めされる当接部と、
前記仕切板本体の前側下部または前端に設けられ、前記前側位置決め部に挿入されることで前記仕切板本体の前側の位置を規制する係合部と、を備え、
前記当接部は、前記凹凸構造に係合することで、左右方向の移動が禁止される第二凹凸構造であることを特徴とする、
商品陳列ユニットに用いられる仕切板。
【発明の詳細な説明】
【技術分野】
【０００１】
本発明は、商品陳列ユニットの仕切り構造および商品陳列ユニットに用いられる仕切板に関する。
【背景技術】
【０００２】
店舗で商品を陳列する際に、商品陳列ユニットが利用されている。商品陳列ユニットに商品を複数の列に並べて陳列する際には、商品を列ごとに仕切る仕切板が用いられている（例えば、特許文献１および２を参照）。仕切板の位置は、仕切板の後端部が、商品陳列ユニットの奥側に設けられた差込口に差し込まれるとともに、仕切板の前側の凸部が商品陳列ユニットの底板に差し込まれることで、位置決めされる。ここで、棚の間隔が狭い場合、商品陳列ユニットの奥側に設けられた差込口の位置が見えづらく、仕切板の後端部を差込口に差し込みにくい場合があった。そのため、作業者は、仕切板を商品陳列ユニットに設置する際に手間取ることがあった。また、本来差し込むべき差込口とは異なる位置の差込口に仕切板の後端部を差し込んでしまうことで、仕切板が斜めに設置されてしまう虞もあった。
【０００３】
そこで、仕切板本体の形状をＬ字型に形成することで、自立可能とした仕切板も採用されている。しかしながら、このような仕切板では、その位置が商品陳列ユニットによって規制されていない。そのため、仕切板の位置安定性が低下し、商品を保持する商品保持力が低下する虞があった。
【先行技術文献】
【特許文献】
【０００４】
【特許文献１】特開２００１−０７８８６０号公報
【特許文献２】特開平１０−０００１４３号公報
【発明の概要】
【発明が解決しようとする課題】
【０００５】
このように、商品陳列ユニットに仕切板を容易に設置し、かつ、仕切板による商品保持力の低下を抑制する事は難しい。そこで、本発明は、より容易に仕切板本体を設置でき、より高い商品保持力を発揮できる商品陳列ユニットの仕切り構造を提供することを課題とする。
【課題を解決するための手段】
【０００６】
本発明では、上記課題を解決するために、以下の手段を採用した。すなわち、本発明は、次の商品陳列ユニットの仕切り構造である。本商品陳列ユニットの仕切り構造は、仕切板位置決め部、前側位置決め部、仕切板本体、当接部および係合部を有する。仕切板位置決め部は、商品陳列ユニットの背面に連続的に設けられ、当接したものが背面に平行方向に移動することを防止可能となっている。前側位置決め部は、商品陳列ユニットの底面または前面に設けられ、凹部または凸部を含む。仕切板本体は、商品陳列ユニットの前後方向に延びるように取り付けられ、平板状となっている。当接部は、仕切板本体の後端に設けられ、仕切板位置決め部に当接することで位置決めされる。係合部は、仕切板本体の前側下部または前端に設けられ、前側位置決め部と係合することで仕切板本体の前側の位置を規制する。
【０００７】
このような発明によれば、仕切板位置決め部が商品陳列ユニットの背面に連続的に設け
られていることにより、仕切板本体の当接部を仕切板位置決め部に対して容易に当接可能である。また、仕切板本体の係合部が、商品陳列ユニットの底面または前面に設けられた前側位置決め部と係合される。そのため、仕切板本体は、前側位置決め部および仕切板位置決め部の２か所で保持される。そのことにより、仕切板本体の位置安定性が高まる。その結果、仕切板本体は、より高い商品保持力を発揮できる。
【０００８】
また、本発明に係る商品陳列ユニットの仕切り構造は、次の特徴を有してもよい。仕切板本体の後端には、該仕切板本体に垂直な面である位置決め面が設けられ、当接部は、位置決め面の奥側の面に構成される。このような発明によれば、仕切板本体の位置決め面と仕切板位置決め部とが面で当接される。そのため、点または線で当接される場合よりも強い力で、仕切板本体が背面に平行方向に移動することを防止可能なる。
【０００９】
また、本発明に係る商品陳列ユニットの仕切り構造は、次の特徴を有してもよい。仕切板位置決め部は、商品陳列ユニットの背面に連続的に設けられた凹凸構造であって、当接部は、凹凸構造に係合することで、左右方向の移動が禁止される第二凹凸構造である。このような発明によれば、仕切板位置決め部に設けられた凹凸構造と当接部に設けられた第二凹凸構造とが互いに係合することで、仕切板本体の左右方向の移動が禁止可能となる。
【００１０】
また、本発明に係る商品陳列ユニットの仕切り構造は、次の特徴を有してもよい。凹凸構造は、商品陳列ユニットの背面の少なくとも下側の領域に設けられており、商品陳列ユニットの背面における凹凸構造の上側の領域は、凹凸構造より前側に突出するように設けられている。このような発明によれば、当該凹凸構造の上側の領域と商品陳列ユニットの底面とによって仕切板本体の当接部が挟持される。そのため、仕切板本体の上下方向への移動が抑制される。
【００１１】
また、本発明に係る商品陳列ユニットの仕切り構造は、次の特徴を有してもよい。前側位置決め部は、商品陳列ユニットの底面または前面に設けられた差込口であり、係合部は、仕切板本体に設けられた凸部である。このような発明によれば、仕切板本体の凸部が、商品陳列ユニットの底面または前面に設けられた差込口に差し込まれる。そのため、仕切板本体は、差込口および仕切板位置決め部の２か所で保持される。そのため、仕切板本体の位置安定性が高まる。その結果、仕切板本体は、より高い商品保持力を発揮できる。
【００１２】
また、本発明は、以上で説明した商品陳列ユニットの仕切り構造に用いられる仕切板として把握する事も可能である。
【発明の効果】
【００１３】
本商品陳列ユニットの仕切り構造は、より容易に仕切板本体を設置でき、より高い商品保持力を発揮できる。
【図面の簡単な説明】
【００１４】
【図１】図１は、第１実施形態に係る商品陳列棚の一例を示す図である。
【図２】図２は、商品陳列棚の底板の一例を示す図である。
【図３Ａ】図３Ａは、商品陳列棚の側板を前側から見た斜視図の一例である。
【図３Ｂ】図３Ｂは、商品陳列棚の側板を奥側から見た斜視図の一例である。
【図４】図４は、商品陳列棚の背板の一例を示す図である。
【図５Ａ】図５Ａは、側板の滑り止め部が背板に当接された状態の一例を示す上面図である。
【図５Ｂ】図５Ｂは、側板の滑り止め部が背板に当接された状態の一例を示す図である。
【図６】図６は、側板の取り付け方の一例を示す図である。
【図７Ａ】図７Ａは、第１変形例に係る側板を前側から見た斜視図の一例である。
【図７Ｂ】図７Ｂは、第１変形例に係る側板を奥側から見た図の一例である。
【図８】図８は、第１変形例に係る背板１１３の一例を示す図である。
【図９Ａ】図９Ａは、第２変形例に係る側板を前側から見た斜視図の一例である。
【図９Ｂ】図９Ｂは、第２変形例に係る側板を奥側から見た図の一例である。
【図１０】図１０は、第２変形例に係る背板の一例を示す図である。
【図１１Ａ】図１１Ａは、第３変形例に係る商品陳列棚１ｃの一例を示す上面図である。
【図１１Ｂ】図１１Ｂは、図１１ＡのＢ−Ｂ断面図である。
【図１２Ａ】図１２Ａは、第３変形例に係る側板の一例を示す正面図である。
【図１２Ｂ】図１２Ｂは、第３変形例に係る側板の一例を示す側面図である。
【図１３Ａ】図１３Ａは、第４変形例に係る側板を前側から見た斜視図の一例である。
【図１３Ｂ】図１３Ｂは、第４変形例に係る側板を奥側から見た斜視図の一例である。
【発明を実施するための形態】
【００１５】
以下、図面を参照して、本発明の一実施形態に係る商品陳列棚について説明する。以下に示す実施形態の構成は例示であり、本発明は実施形態の構成に限定されない。
【００１６】
＜第１実施形態＞
図１は、第１実施形態に係る商品陳列棚１の一例を示す図である。商品陳列棚１には、店舗において販売される商品が陳列される。商品陳列棚１は、例えば、食料品、飲料品、雑貨等の様々な商品を陳列することが可能である。商品陳列棚１は、例えば、既に店舗内に設置された棚に載置する事が可能である。商品陳列棚１は、底板１１、側板１２および背板１３を備える。なお、本明細書において、背板１３側を商品陳列棚１の前側、背板１３と反対側を商品陳列棚１の奥側と称する。また、商品陳列棚１に向かって左側を左、右側を右とする。商品陳列棚１は、「商品陳列ユニット」の一例である。
【００１７】
底板１１は、商品を陳列または移動可能に支持する板状の部材である。また、底板１１は、側板１２および背板１３を支持する。図２は、商品陳列棚１の底板１１の一例を示す図である。また、底板１１の材質は、陳列される商品を支持可能な剛性を確保できれば、どのような材質であってもよい。底板１１の前側には、溝部１１ａが設けられている。溝部１１ａには、複数の溝が設けられている。溝部１１ａに設けられた溝が後述する側板１２の突起部１２ａと係合することで、側板１２の前側の位置を規制する。溝部１１ａは、「前側位置決め部」の一例である。
【００１８】
側板１２は、陳列される商品の側面を支持する。側板１２は、底板１１の左右に着脱自在に設けられる。側板１２は、底板１１に前後方向に延びるように設けられる平板状の部材である。図３Ａは、商品陳列棚１の側板１２を前側から見た斜視図の一例である。図３Ｂは、商品陳列棚１の側板１２を奥側から見た斜視図の一例である。側板１２は、突起部１２ａ、滑り止め部１２ｂおよび案内部１２ｆを有する。突起部１２ａは、底板１１の溝部１１ａと係合することで、側板１２の位置決めを可能にする。滑り止め部１２ｂは、側板１２に略垂直な面である。滑り止め部１２ｂは、凹部１２ｅ、凹凸部１２ｃおよび凹凸部１２ｄを有する。凹凸部１２ｃおよび凹凸部１２ｄは、凹部１２ｅを挟んで上下に設けられている。滑り止め部１２ｂは、後述する背板１３の位置規制部１３ａと係合することで、側板１２の背板１３の長手方向に平行方向への移動が防止可能となる。側板１２の位置は、商品陳列棚１に陳列される商品の大きさに応じて適宜定めることが可能である。案内部１２ｆは、側板１２の後方に設けられる。すなわち、案内部１２ｆは、側板１２と背板１３の接続部分に設けられる。案内部１２ｆは、商品陳列棚１の前面から受け入れられ
る商品の進行方向を前後方向から左右方向、さらには左右方向から後前方向へ案内する。側板１２は、「仕切板本体」の一例である。滑り止め部１２ｂは、「当接部」の一例である。滑り止め部１２ｂは、「位置決め面」の一例である。突起部１２ａは、「係合部」の一例である。
【００１９】
背板１３は、陳列される商品の奥側への移動を制限する。図４は、商品陳列棚１の背板１３の一例を示す図である。背板１３は、商品陳列棚１の奥側に設けられる。背板１３は、側板１２の後部において側板１２と略垂直方向に２枚の側板１２を連結する。背板１３は、その前面に位置規制部１３ａを有する。位置規制部１３ａは、側板１２の滑り止め部１２ｂと係合することで、側板１２の背板１３の長手方向に平行方向への移動が防止可能となる。位置規制部１３ａは、横位置規制部１３ｂ、横位置規制部１３ｃおよび突出部１３ｄを有する。横位置規制部１３ｂおよび横位置規制部１３ｃは、突出部１３ｄを挟んで上下に設けられている。突出部１３ｄは、横位置規制部１３ｂ、１３ｃよりも前側に突出している。横位置規制部１３ｂおよび横位置規制部１３ｃには、凹凸が左右方向に連続的に設けられている。側板１２の滑り止め部１２ｂが位置規制部１３ａに当接されることにより、側板１２の背板１３の長手方向に平行方向への移動が防止可能となる。位置規制部１３ａは、「仕切板位置決め部」の一例である。
【００２０】
図５Ａは、側板１２の滑り止め部１２ｂが背板１３に当接された状態の一例を示す上面図である。図５Ｂは、側板１２の滑り止め部１２ｂが背板１３に当接された状態の一例を示す図である。図５Ｂは、図１における、Ａ−Ａ断面図の一例である。側板１２が背板１３に当接されると、側板１２の滑り止め部１２ｂと背板１３の位置規制部１３ａとが嵌合する。すなわち、図５Ａに例示されるように、側板１２の滑り止め部１２ｂの凹凸部１２ｃは、背板１３の位置規制部１３ａの横位置規制部１３ｂと嵌合する。また、側板１２の滑り止め部１２ｂの凹凸部１２ｅは、背板１３の位置規制部１３ａの横位置規制部１３ｃと嵌合する。これらの嵌合により、側板１２の背板１３の長手方向に平行方向への移動が防止可能となる。また、図５Ｂに例示されるように、側板１２の滑り止め部１２ｂの凹部１２ｅは、背板１３の位置規制部１３ａの突出部１３ｄと嵌合する。その結果、側板１２の凹凸部１２ｄは、背板１３の突出部１３ｄと底板１１によって挟持される。そのことにより、側板１２の上下方向への移動が防止可能となる。
【００２１】
図６は、側板１２の取り付け方の一例を示す図である。以下、図６を参照して側板１２を取り付け方について説明する。なお、図６において、Ｓ１およびＳ２は作業手順の一例を示す番号である。また、図６の点線の矢印は、矢印の元の部分が矢印の先の部分に当接されることを例示している。まず、ステップＳ１の作業として側板１２の滑り止め部１２ｂを背板１３の位置規制部１３ａに当接させる。次にステップＳ２の作業として、側板１２の突起部１２ａを底板１１の溝部１１ａの溝に差し込む。
【００２２】
ステップＳ１の作業によって滑り止め部１２ｂと位置規制部１３ａとが互いに係合する。その結果、側板１２の後端の位置が位置決めされる。ステップＳ２の作業によって突起部１２ａが溝部１１ａの溝に差し込まれる。側板１２の前側の位置が位置決めされる。そのため、側板１２の位置安定性が高まり、側方から負荷がかかる場合でも、側板１２の位置が容易にずれなくなる。その結果、側板１２による商品の保持力が高まる。
【００２３】
なお、以上で説明した商品陳列棚１では、溝部１１ａに複数の溝が並んでいた。しかしながら、溝部１１ａは、側板１２の突起部１２ａが差し込み可能であれば溝に限定されない。例えば、溝部１１ａには、底板１１を貫通する複数の孔が設けられてもよい。
【００２４】
商品陳列棚１では、背板１３の横位置規制部１３ｂ、１３ｃ位置規制部１３ａに複数の凹凸を連続的に設けた。そのため、作業者が位置規制部１３ａを視認しにくい状況であっ
ても、容易に側板１２を背板１３に当接させることが可能である。その結果、商品陳列棚１によれば、側板１２は、差込口に仕切板の後端部を差し込んで位置決めする仕切り構造と比較して、容易に取り付け可能である。
【００２５】
商品陳列棚１では、側板１２の突起部１２ａが底板１１の溝部１１ａに設けられた溝に係合される。そのため、側板１２は、底板１１の溝部１１ｇおよび背板１３の位置規制部１３ａの２か所で保持される。その結果、側板１２による商品の保持力は、自立可能とした仕切板本体と比較して高くなる。
【００２６】
商品陳列棚１では、側板１２の滑り止め部１２ｂは、面形状をしている。そのため、側板１２の滑り止め部１２ｂと背板１３の位置規制部１３ａとは、面同士で当接される。その結果、側板１２は、点または線で背板１３に当接される側板と比較して、高い保持力を発揮できる。
【００２７】
側板１２の滑り止め部１２ｂは、側板１２に対して垂直な方向に強固に形成されている。よって、側板１２の滑り止め部１２ｂを背板１３の位置規制部１３ａに当接させれば、側板１２の突起部１２ａの位置はほぼ決まる。そのため、側板１２の突起部１２ａが、異なる溝に挿入されることを防止できる。
【００２８】
商品陳列棚１では、側板１２の凹凸部１２ｄは、背板１３の突出部１３ｄと底板１１によって挟持される。その結果、側板１２の上下方向への移動が抑制される。なお、側板１２の上下方向への移動を抑制する構成は、このような構成に限定されるわけではない。例えば、側板１２において滑り止め部１２ｂの上側の面を凹部とし、下側の面を凹凸部とする。また、背板１３において位置規制部１３ａの上側の面を突出部とし、下側の面を横位置規制部とする。このような構成によっても、側板１２の下側の面に設けられた凹凸部が、背板１３において位置規制部１３ａの上側の面に設けられた突出部と底板１１によって挟持されることで、側板１２の上下方向への移動が抑制される。
【００２９】
なお、側板１２の形状は、以上で説明した形状に限定されるわけではなく、様々な形状を採用可能である。例えば、滑り止め部１２ｂの形状は、背板１３の滑り止め部１２ａに当接される形状であれば、特に限定は無い。すなわち、滑り止め部１２ｂは、面形状を採用しなくともよい。面形状を採用しないことで、側板１２をより狭い間隔で並べることが可能となる。その結果、商品をより多い列に並べることが可能となる。また、側板１２の突起部１２ａおよび底板１１の溝部１１ａは、突起部１２ａと溝部１１ａとが互いに係合可能であれば、様々な形状を採用できる。
【００３０】
なお、第１実施形態では、商品陳列棚１を単独で用いる場合について説明した。しかしながら、商品陳列棚１は、単独で用いられることに限定されない。商品陳列棚１は複数並べて用いられてもよい。さらに、横長の商品陳列棚を複数の側板１２で区切ることにより、複数の商品陳列ユニットを形成してもよい。
【００３１】
以下、第１実施形態の各種変形例について説明する。変形例の説明において、第１実施形態と同一の構成要素については同一の符号を付し、その説明を省略する。
【００３２】
＜第１変形例＞
第１実施形態では、側板１２が背板１３に当接されると、凹凸の嵌合によって側板１２の背板１３の長手方向に平行方向への移動が防止可能となった。第１変形例では、側板と背板との間に働く摩擦力によって、側板の背板の長手方向に平行方向への移動が防止可能とされる。図７Ａおよび図７Ｂは、第１変形例に係る側板１１２の一例を示す図である。図７Ａは、第１変形例に係る側板１１２を前側から見た斜視図の一例である。図７Ｂは、
第１変形例に係る側板１１２を奥側から見た図の一例である。側板１１２は、滑り止め部１１２ｂを有する点で、第１実施形態の側板１２と異なる。滑り止め部１１２ｂにおいて、摩擦部１１２ｂ、１１２ｃの表面は、例えば、粗面加工する、ゴム等の摩擦係数の大きい物質で覆う等の処理によって、その摩擦係数が大きくなるように形成されている。滑り止め部１１２ｂは、「当接部」の一例である。また、滑り止め部１１２ｂは、凹部１２ｅを有さず、その全面において摩擦係数が大きくなるように形成されていてもよい。
【００３３】
図８は、第１変形例に係る背板１１３の一例を示す図である。背板１１３は、位置規制部１１３ａを有する点で、第１実施形態の背板１３と異なる。位置規制部１１３ａは、横位置規制部１１３ｂ、１１３ｃ、および突出部１３ｄを有する。横位置規制部１１３ｂ、１１３ｃの表面は、例えば、粗面加工する、ゴム等の摩擦係数の大きい物質で覆う等の処理によって、その摩擦係数が大きくなるように形成されている。位置規制部１１３ａは、「仕切板位置決め部」の一例である。なお、突出部１３ｄは、図５Ｂのように、横位置規制部１１３ｂ、１１３ｃよりも前側に突出している。また、位置規制部１１３ａは、突出部１３ｄを有さず、その全面において摩擦係数が大きくなるように形成されていてもよい。
【００３４】
第１変形例では、側板１１２の滑り止め部１１２ｂが背板１１３の位置規制部１１３ａに当接されると、側板１１２の摩擦部１１２ｂ、１１２ｃおよび背板１１３の横位置規制部１１３ｂ、１１３ｃとの間に摩擦力が働く。その結果、側板１１２の背板１１３の長手方向に平行方向への移動が防止可能となる。
【００３５】
＜第２変形例＞
第２変形例では、側板および背板の滑り止め部に磁石を設け、側板と背板との間に働く磁力によって側板の背板の長手方向に平行方向への移動が防止可能となる。図９Ａおよび図９Ｂは、第２変形例に係る側板２１２の一例を示す図である。図９Ａは、第２変形例に係る側板２１２を前側から見た斜視図の一例である。図９Ｂは、第２変形例に係る側板２１２を奥側から見た図の一例である。側板２１２は、滑り止め部２１２ｂを有する点で、第１実施形態の側板１２と異なる。滑り止め部２１２ｂは、磁石部２１２ｃ、２１２ｄおよび凹部１２ｅを有する。磁石部２１２ｃ、２１２ｄには、磁石が設けられている。滑り止め部２１２ｂは、「当接部」の一例である。なお、滑り止め部２１２ｂは、凹部１２ｅを有さず、その全面に磁石部が設けられてもよい。
【００３６】
図１０は、第２変形例に係る背板２１３の一例を示す図である。背板２１３は、位置規制部２１３ａを有する点で、第１実施形態の背板１３と異なる。位置規制部２１３ａは、横位置規制部２１３ｂ、２１３ｃ、および突出部１３ｄを有する。横位置規制部２１３ｂ、２１３ｃには、磁石が設けられている。なお、背板２１３の横位置規制部２１３ｂ、２１３ｃのそれぞれに設けられる磁石の側板２１２に面する側の極性は、側板２１２の磁石部２１２ｃ、２１２ｄそれぞれに設けられる磁石の背板２１３と面する側の極性と逆になっている。すなわち、背板２１３の横位置規制部２１３ｂ、２１３ｃのそれぞれは、側板２１２の磁石部２１２ｃ、２１２ｄと磁力によって引き合うようになっている。位置規制部２１３ａは、「仕切板位置決め部」の一例である。なお、突出部１３ｄは、図５Ｂのように、横位置規制部２１３ｂ、２１３ｃよりも前側に突出している。また、位置規制部２１３ａは、突出部１３ｄを有さず、その全面に磁石が設けられてもよい。
【００３７】
第２変形例では、側板２１２の磁石部２１２ｃ、２１２ｄおよび背板２１３の横位置規制部２１３ｂ、２１３ｃのそれぞれが、側板２１２の磁石部２１２ｃ、２１２ｄと磁力によって密着する。その結果、側板２１２の背板２１３の長手方向に平行方向への移動が防止可能となる。
【００３８】
さらに、第２変形例では、側板２１２の磁石部２１２ｃおよび２１２ｄに設けられる磁石の背板２１３に面する側の極性を逆にすることも可能である。例えば、磁石部２１２ｃに設けられる磁石の背板２１３に面する側の極性がＳ極とされた場合、磁石部２１２ｄに設けられる磁石の背板２１３に面する側の極性はＮ極とされる。なお、上述の通り、側板２１２の磁石部２１２ｃと背板２１３の横位置規制部２１３ｂ、側板２１２の磁石部２１２ｄと背板２１３の横位置規制部２１３ｃは、それぞれ磁力によって引き合うように構成されている。したがって、背板２１３の横位置規制部２１３ｂに設けられる磁石の側板２１２に面する側の極性と背板２１３の横位置規制部２１３ｃに設けられる磁石の側板２１２に面する側の極性も、互いに逆になる。このような構成を採用することにより、側板２１２を上下逆に取り付けようとした場合、側板２１２の磁石部２１２ｃと背板２１３の横位置規制部２１３ｂ、側板２１２の磁石部２１２ｄと背板２１３の横位置規制部２１３ｃとがそれぞれ磁力によって反発する。その結果、側板２１２を上下逆に取り付けることを抑制する事が可能となる。
【００３９】
第２変形例では、側板２１２および背板２１３の双方に磁石を設けた。しかしながら、磁力によって側板２１２の背板２１３の長手方向に平行方向への移動を抑制する手段は、この構成に限定されない。例えば、側板２１２および背板２１３の一方に磁石を設け、他方を鉄で構成する事も可能である。このような構成でも、磁石と鉄とが磁力によって引き合うため、側板２１２の背板２１３の長手方向に平行方向への移動が防止可能となる。
【００４０】
＜第３変形例＞
第１実施形態では、底板１１に溝部１１ａを設けた。第３変形例では、商品陳列棚の前面に前板を設け、当該前板に側板の凸部を受け入れる溝部を設ける。図１１Ａは、第３変形例に係る商品陳列棚１ｃの一例を示す上面図である。図１１Ｂは、図１１ＡのＢ−Ｂ断面図である。第３変形例の商品陳列棚１ｃは、溝部１１ａを有さず、前板３１５を有する点で第１実施形態の商品陳列棚１と異なる。前板３１５は、溝部３１５ａを有する。溝部３１５ａは、前板３１５において、左右方向に延伸するように設けられている。溝部３１５ａは、「前側位置決め部」の一例である。
【００４１】
図１２Ａは、第３変形例に係る側板３１２の一例を示す正面図である。図１２Ｂは、第３変形例に係る側板３１２の一例を示す側面図である。側板３１２は、突起部３１２ａをその前面に有する点で、第１実施形態の側板１２と異なる。突起部３１２ａは、側板３１２に垂直な板状の部材であり、側板３１２の前端部に設けられる。側板３１２が商品陳列棚１ｃに取り付けられるとき、突起部３１２ａは前板３１５の溝部３１５ａに嵌合される。突起部３１２ａは、「係合部」の一例である。
【００４２】
第３変形例では、前板３１５の溝部３１５ａに側板３１２の突起部３１２ａが嵌合される。その結果、商品陳列棚１ｃは、側板３１２の前側の位置を規制することができる。
【００４３】
＜第４変形例＞
第１実施形態の側板１２では、その片側の面に広がる滑り止め部１２ｂが設けられた。第４変形例の側板では、その左右両側面に広がる滑り止め部が採用される。図１３Ａは、第４変形例に係る側板４１２を前側から見た斜視図の一例である。図１３Ｂは、第４変形例に係る側板４１２を奥側から見た斜視図の一例である。第４変形例に係る側板４１２は、滑り止め部４１２ｂを有する点で、第１実施形態の側板１２と異なる。滑り止め部４１２ｂは、側板４１２に略垂直な面である。滑り止め部４１２ｂは、凹部４１２ｅ、凹部４１２ｅを挟んで上下に設けられた凹凸部４１２ｃおよび凹凸部４１２ｄを有する。滑り止め部４１２ｂは、背板１３の位置規制部１３ａと係合することで、側板１２の背板１３の長手方向に平行方向への移動が防止可能となる。滑り止め部４１２ｂは、「当接部」の一例である。
【００４４】
第４変形例に係る側板４１２の滑り止め部４１２ｂは、側板４１２の左右両側面に広がるように設けられている。そのため、側板１２の一方の面に広がるように設けられた第１実施形態に係る側板１２の滑り止め部１２よりも、第４変形例に係る側板４１２の滑り止め部４１２ｂの面積は広くなっている。その結果、第４変形例に係る側板４１２では、側板４１２の背板１３の長手方向に平行方向への移動を防止する力が、第１実施形態に係る側板１２と比較して、より強く働くようになる。
【００４５】
以上で開示した実施形態や変形例はそれぞれ組み合わせる事ができる。
【符号の説明】
【００４６】
１、１ｃ・・・商品陳列棚
１１・・・底板
１１ａ・・・溝部
１２、１１２、２１２、３１２・・・側板
１２ａ、３１２ａ・・・突起部
１２ｂ、１１２ｂ、２１２ｂ・・・滑り止め部
１３、１１３・・・背板
１３ａ、１１３ａ・・・位置規制部
３１５・・・前板
３１５ａ・・・溝部
【図１】
0006575744.tif 000002
【図２】
0006575744.tif 000003
【図３Ａ】
0006575744.tif 000004
【図３Ｂ】
0006575744.tif 000005
【図４】
0006575744.tif 000006
【図５Ａ】
0006575744.tif 000007
【図５Ｂ】
0006575744.tif 000008
【図６】
0006575744.tif 000009
【図７Ａ】
0006575744.tif 000010
【図７Ｂ】
0006575744.tif 000011
【図８】
0006575744.tif 000012
【図９Ａ】
0006575744.tif 000013
【図９Ｂ】
0006575744.tif 000014
【図１０】
0006575744.tif 000015
【図１１Ａ】
0006575744.tif 000016
【図１１Ｂ】
0006575744.tif 000017
【図１２Ａ】
0006575744.tif 000018
【図１２Ｂ】
0006575744.tif 000019
【図１３Ａ】
0006575744.tif 000020
【図１３Ｂ】
0006575744.tif 000021